(57)【特許請求の範囲】
【請求項１】
その全長またはその長さ方向要所要所を細巾の集水孔に開口してなる部分以外の天面が閉鎖された断面箱型タイプのコンクリート製側溝における集水孔に挿通可能な太さで、所定長とする吊上げ主杆が、吊上げ芯材部とそれに挿通状に被嵌される所定長さの二本の位置決め兼用固定管部とからなるものに形成され、該吊上げ主杆の吊上げ芯材部を軸心として、その上端に取着した吊り環部から下方にかけて順次、所定長さの一方の位置決め兼用固定管部、当該コンクリート製側溝集水孔巾寸法よりも大きい径寸法とした平面形の仮置き鍔部、所定長さの他方の位置決め兼用固定管部、そして同下端には、その当該コンクリート製側溝集水孔巾寸法よりも大きい径寸法とした平面形を有し、水路内に開口する集水孔下端周縁面に当接可能とした鈎塊部を挿通、一体化してなるものとしたことを特徴とするコンクリート製側溝用吊上げ具。
【請求項２】
仮置き鍔部は、少なくともその下面側で、コンクリート製側溝集水孔上端開口周縁に当接する部分が、所定肉厚の弾性素材からなるものとした、請求項１記載のコンクリート製側溝用吊上げ具。
【請求項３】
鈎塊部は、その上面が水路内に開口する集水孔下端周縁面に当接可能であって、当該集水孔下端周縁面に当接する部分を所定肉厚の弾性素材からなる緩衝摩擦層面とした、請求項１または２何れか記載のコンクリート製側溝用吊上げ具。
【請求項４】
鈎塊部は、その上面形状が、吊上げ主杆を中心とする平面円形状のものに形成され、吊上げ主杆周りの何れの方向に向けられた姿勢においても、集水孔への係合状態が略同一となるよう形成してなるものとした、請求項１ないし３何れか記載のコンクリート製側溝用吊上げ具。
【請求項５】
鈎塊部が、略逆円錐台形に形成されてなるものとした、請求項１ないし４何れか記載のコンクリート製側溝用吊上げ具。
【請求項６】
吊上げ主杆は、その下端が、鈎塊部の中心を貫通状として同鈎塊部に一体化されてなるものとした、請求項１ないし５何れか記載のコンクリート製側溝用吊上げ具。
【請求項７】
吊上げ主杆に対し、吊り環部および鈎塊部が夫々螺合構造で一体化されてなるものとした、請求項１ないし６何れか記載のコンクリート製側溝用吊上げ具。
【請求項８】
吊上げ主杆は、仮置き鍔部の上方に位置する位置決め兼用固定管部が吊上げ芯材部に対して遊嵌状となるように組み合わされてなるものとした、請求項１ないし７何れか記載のコンクリート製側溝用吊上げ具。
【請求項９】
略鉛直状とした一対の吊上げ具の吊上げ主杆夫々を、略中央を全長に渡って細巾の集水孔に開口してなる部分以外の天面が閉鎖された断面箱型タイプのコンクリート製側溝の側方から、集水孔内に上下貫通状とするよう装着し、該コンクリート製側溝の重心位置を挟み、水平方向に略等間隔を隔てたバランスの良い位置に配し、夫々の仮置き鍔部によって立設状に保持した上、各吊上げ具吊り環部の夫々に一端側を予め連結させるか、または、コンクリート製側溝への装着と同時あるいは装着後に連結させるかした吊上げ索条、吊上げチェーン、または吊上げ棒の何れかで、吊上げ具間のコンクリート製側溝を底辺とする二等辺三角形を形成するようにした状態にしてクレーン等吊上げ装置で吊上げ、各吊上げ具鈎塊部の上端面もしくは緩衝摩擦層面を、夫々コンクリート製側溝集水孔下端周縁面に当接させ、該コンクリート製側溝の略水平状のバランスを保ったまま所望する高さまで上昇させた後、目的とする位置まで搬送するようにしたことを特徴とする、請求項１ないし８何れか記載のコンクリート製側溝用吊上げ具を利用するコンクリート製側溝の吊上げ運搬方法。
【発明の詳細な説明】
【０００１】
【発明の目的】
この発明は、クレーンを用いてコンクリート製側溝を搬送する技術に関するものであって、特に、クレーン用の連結金具や、専用の取り付け構造等を持たないコンクリート製側溝を安全且つ迅速に吊り上げ、搬送するとを可能とする、新規な構造からなるコンクリート製側溝用吊上げ具、およびそれを利用する新規なコンクリート製側溝の吊上げ運搬方法を提供しようとするものである。
【０００２】
【従来の技術】
我が国は、アジアモンスーン地帯に位置し、その年間の降水量が世界平均値に比較して格段に多く、しかも降雨量の大部分が梅雨期や台風時に集中するという性質をもつ上、河川勾配が急なため、流下時間が短く、山間部から海に向けて一気に流れ下るという特異な地形があり、また、市街化が進んだ都市部等では、道路や建築物が増える一方で、緑地や空地が減少し続け、雨水の地下浸透が少なくなっているという事情もあって、全国至る所で、一旦集中豪雨が発生してしまうと、短時間の中に多量の雨水が流出することとなり、建築物への浸水や道路の冠水等、多大な被害を発生させてしまうという問題を抱えており、都市部や低地等で排水機能が不足している地域への水路や側溝、貯溜池等の整備、拡充が急務となっている。
【０００３】
更に，それら水利施設の整備による水害対策に留まらず、最近では、雨水を浸透可能なポーラス構造のアスファルトによって道路表層を舗装し、降り注ぐ雨量の殆どを速やかに路面内部に浸透させ、一定時間を経過した後、路側帯側に埋設された排水側溝に向けて流出してしまうよう構成してなる透水型路面の排水構造等も盛んに取り入れられるようになってきており、また、こうした排水構造に採用されるコンクリート製側溝についても、例えば、天面略中央の全長に渡って、細巾の集水孔を開口し、それ以外の周壁面部を閉鎖した断面箱型タイプに形成され、路側に沿って埋設するようにしたものとすることにより、ポーラス構造のアスファルトからなる路面を通じて路側方向に流出してくる雨水が、側溝の全長に渡って形成された集水孔から効率的に取り込まれて排水できるようにした構造とする等、様々な改良が加えられてきている。
【０００４】
こうした改良型の側溝は、従前までのコンクリート製Ｕ字型側溝に複数枚の閉蓋を施し、所定間隔毎に金属製柵状網を装着した雨水マスを設置し、各閉蓋の中央両端縁に形成された把手兼用の排水用凹欠部と、点在する雨水マスを通じて排水する下水施設に比較し、路面上から速やかに雨水を吸収・排除し、走行車両のハイドロプレーニング現象や、走行中の水飛沫によるスモーキング現象を防止し、降雨中の交通安全を確保できると共に、一時的に雨水を路面層内に貯溜する機能を発揮して排水の流出時間を遅延させ、周辺地域への氾濫を未然に防ぐことができる上、従前までの閉蓋の排水用凹欠部や雨水マスのような路上に開口する排水孔を無くし、歩行者のハイヒールの落ち込みや、貴重品の側溝への落下、あるいは小動物の側溝中への侵入等の弊害の一切を無くすことができるという利点を有している。
【０００５】
このように、排水や交通安全に秀れた排水構造を可能とするコンクリート製側溝ではあるが、工場出荷や施工の際の運搬には、旧態依然とした方法での搬送が行われており、一つの搬送例を示すならば、製造時にコンクリート製側溝の両端側夫々に、巾方向に略水平な貫通孔を穿孔しておき、これらの貫通孔に金属棒を差し込んた上、各金属棒の両端部に、クレーンのワイヤーロープを繋着させて吊上げ、運搬するものであり、設置後に夫々の貫通孔にモルタルを詰める等して閉鎖しなければならず、設置作業に手間が掛る上、貫通孔の閉鎖を忘れると、排水が地中に浸透、漏出してしまうという事態に繋がる慮もあり、また、製造の際に、コンクリート製側溝の両端側の複数適所に、クレーンに吊着可能な連結金具を一体的に埋設しておくという常套手段もあるが、運搬にのみ使用する連結金具を設ける構造にも係わらず、充分な強度を得るために、側溝の肉厚内部の鉄筋に連結しておかなければならず、部品点数や製造工数を増加させ、製造コストが高騰してしまうという欠点もあった。
【０００６】
そうした問題を避けるため、改良型の側溝の天面に設けられた軸心方向に連続する細溝状の排水孔を利用すべく、ワイヤの下端にＴの字状配置となるようにストッパー用の角材等を取り付け、当該角材等をストッパーとなるようにしてワイヤを排水孔から引き出し、ワイヤ上端を適宜吊上げ装置によって吊り上げるようにした施工方法も適宜採用されるようになってきているが、この方法による場合には、吊上げ装置によって吊り上げる際、ストッパーとなる角材等が、排水孔に対して交叉状配置になるようにするため、作業者が流水溝内に手を差し入れて正しい姿勢を保ち、吊上げ装置によってワイヤが緊張状態になった後で手を放すといった工程を必要とし、その際に、誤って作業者の手をストッパーとコンクリート製側溝天面との間に挟まれ、大怪我をしてしまうといった事態に陥る危険性をはらんでいた。
【０００７】
この発明は、以上のような状況に鑑み、改良型のコンクリート製側溝について、クレーンを用いて運搬する作業に際し、安全且つ確実にバランス良く吊り上げるようにするため、コンクリート製側溝の構造を上手く利用した効率的な吊上げ、運搬技術が実現できないものかとの判断から、逸速くその開発、研究に着手し、長期に渡る試行錯誤と幾多の試作、実験とを繰り返してきた結果、今回、遂に新規な構造のコンクリート製側溝用吊上げ具、およびそれを利用する新規なコンクリート製側溝の吊上げ運搬方法を実現化することに成功したものであり、以下では、図面に示すこの発明を代表する実施例と共に、その構成を詳述することとする。
【０００８】
【発明の構成】
図面に示すこの発明を代表する実施例からも明確に理解されるように、この発明のコンクリート製側溝用吊上げ具は、基本的に次のような構成から成り立っている。
即ち、その全長またはその長さ方向要所要所を細巾の集水孔に開口してなる部分以外の天面が閉鎖された断面箱型タイプのコンクリート製側溝における集水孔に挿通可能な太さで、所定長とする吊上げ主杆が、吊上げ芯材部とそれに挿通状に被嵌される所定長さの二本の位置決め兼用固定管部とからなるものに形成され、該吊上げ主杆の吊上げ芯材部を軸心として、その上端に取着した吊り環部から下方にかけて順次、所定長さの一方の位置決め兼用固定管部、当該コンクリート製側溝集水孔巾寸法よりも大きい径寸法とした平面形の仮置き鍔部、所定長さの他方の位置決め兼用固定管部、そして同下端には、その当該コンクリート製側溝集水孔巾寸法よりも大きい径寸法とした平面形を有し、水路内に開口する集水孔下端周縁面に当接可能とした鈎塊部を挿通、一体化してなるものとした構成を要旨とするコンクリート製側溝用吊上げ具である。
【０００９】
コンクリート製側溝は、この発明の吊上げ具，およびそれを利用する吊上げ運搬方法による吊上げ、運搬の対象物であって、一般に、その一部または全部を地中に埋設され、地上面を排水する機能を果たすものであり、その全長またはその長さ方向要所要所を細巾の集水孔に開口し、当該集水孔以外の天面が閉鎖された断面箱型タイプのものであって、少なくとも集水孔下端周縁面に、自重の略１／２を越える荷重が加わったときでも破損しない程度の強度を有するものを選択する必要があり、重心バランスや強度の面で最も秀れた位置の、集水孔上端周縁面に吊上げ具の装着位置を表示する吊上げ位置表示部を形成し、または、同位置に仮置き鍔部用または仮置き杆部用の嵌合溝あるいは同嵌合凸条を形成するか、もしくは、集水孔下端周縁面に鈎塊部または鈎板部等からなる鈎部天面用の嵌合溝あるいは同天面用の嵌合凸条を形成したものとすることができる。
【００１０】
吊上げ主杆は、コンクリート製側溝の集水孔を通じて、鈎塊部または鈎板部と吊り環部とを連結し、該吊り環部を使って上方に吊り上げる際に、鈎塊部または鈎板部に掛かるコンクリート製側溝自重をクレーンその他の吊り上げ機に伝達する機能を果たすもと共に、仮置き鍔部または仮置き杆部を有する場合には、それらを所望の位置に固定する機能をも果たすものとなり、少なくとも吊り上げの対象であるコンクリート製側溝の重量の略１／２を越える荷重に耐える強度を有するものに形成しなければならず、その下端が、鈎塊部または鈎板部等からなる鈎部に一体化されてなるものとし、更に、吊り環部および鈎塊部または鈎板部等からなる鈎部が、夫々螺合構造で一体化されるか、熔着手段等によって一体化されてなるものとする。
【００１１】
また、この吊上げ主杆は、例えば、吊上げ芯材部とそれに挿通状に被嵌される所定長さの二本の位置決め兼用固定管部とからなるものに形成され、鈎塊部の中心を貫通状とした吊上げ芯材部下端に鈎塊部を一体化すると共に、緩衝摩擦層面を、その中心を吊上げ芯材部上端から貫通状として鈎塊部上面に載置状とした上、所定長さの位置決め兼用固定管部および仮置き鍔部中心を、順次吊上げ芯材部上端から挿通状に被嵌し、更にもう一つの所定長さの位置決め兼用固定管部を吊上げ芯材部上端から挿通状に被嵌した後、吊り環部を同吊上げ芯材部上端に一体化すると共に、その下端で、最後に挿通状に被嵌した位置決め兼用固定管部上端を強固に押圧できるようにすることにより、緩衝摩擦層面および仮置き鍔部を吊上げ主杆所定位置に一体化してなる構成のものとしたり、あるいは、吊上げ芯材部の下端を直接鈎部上端面側に熔着したもの等とすることができる外、仮置き鍔部または仮置き杆部よりも上方に配する位置決め兼用固定管部は、当該吊上げ芯材部に対して遊嵌状に組み合わせたものとし、吊り上げ作業の際に、ロープの捩れが吊上げ主杆に伝わって予期せぬ回転力が作用したときにも、それを把持して仮立設状に保持している作業者の手に急激な衝撃が加わることがないよう配慮したものとすることもできる。
【００１２】
吊上げ芯材部は、位置決め兼用固定管部内に位置して、吊上げ主杆の基本的連結強度を確保する機能を果たすものであって、上端に吊り環部を一体に固着すると共に、下端に鈎塊部または鈎板部等からなる鈎部を一体に設けたものとしなければならず、中途部に仮置き鍔部を設ける場合には、貫通状に装着した仮置き鍔部を、二本の位置決め兼用固定管部の対峙する端部間に挟み込むよう装着、位置決めしたものとしたり、あるいは、仮置き杆部であれば、当該吊上げ芯材部所定箇所であって、後述の鈎板部の板面方向と略同一方向で水平状となるようにして直接熔着することもできる。
【００１３】
位置決め兼用固定管部は、吊上げ芯材部に外装され、吊り環部、仮置き鍔部または仮置き杆部を設けるようにした場合には、それら仮置き鍔部または仮置き杆部と吊り環部との間に挟み込まれ、夫々の距離を固定的に維持させると共に、上記したとおり、遊嵌状に組み合わせてロープの捩れの反動が直接作業者の手に伝わらないようにする機能を果たすものであり、また、仮置き鍔部と鈎塊部との間に配するものは、コンクリート製側溝天面コンクリート肉厚よりも大きい長さ寸法に設定すると共に、コンクリート製側溝天面の集水孔巾よりも小さな外径寸法のものとしなければならず、各部材に当接状となる端部には、接合用のフランジ型鍔部を設けたものとすることができる。
【００１４】
吊り環部は、吊上げ主杆もしくは吊上げ芯材部の上端を、クレーンに連結可能とする機能を果たすものであり、コンクリート製側溝の重量の略１／２を越える荷重を吊り上げるに充分な強度を有するものとしなければならず、吊上げ主杆もしくは吊上げ芯材部の上端に螺合させて結合させた上、適所を熔接して一体化したものとすることが可能であり、クレーン側のフックを簡単且つ確実に連結できるよう、開閉不可能な環状に形成したものとするか、あるいは自動閉鎖機構を有する開閉片によって環形状の一部を開閉できるよう構成したもの等とすることができる。
【００１５】
鈎部は、吊上げ主杆もしくは吊上げ芯材部の下端を、コンクリート製側溝の集水孔下端周縁面に係合可能とする機能を果たすものであり、固まり状の鈎塊部や平板状の鈎板部等とすることができ、前者は集水孔がコンクリート製側溝の天面全長に渡って形成されていて、コンクリート製側溝両端に集水孔を開口しているタイプのものに専用され、コンクリート製側溝両端に開口する集水孔から上記した吊上げ主杆を挿入状にした使用となり、また、後者は、そのタイプに加え、集水孔がコンクリート製側溝天面の長さ方向要所要所だけに形成されていて、コンクリート製側溝両端に集水孔を開口していないタイプのものにも採用可能とするものであり、したがって、ンクリート製側溝両端に開口する集水孔から挿入状にした使用の外、コンクリート製側溝集水孔の上方適所から下方に差し込むようにした使用も可能にする。
【００１６】
その中、鈎塊部は、その上面を、集水孔巾よりも大きくし、他の部品と同様にコンクリート製側溝の重量の略１／２を越える荷重の吊り上げに充分耐えることのできる構造としなければならず、上面形状が、吊上げ主杆を中心とする平面多面形状、あるいは平面円形状のものに形成され、吊上げ主杆周りの何れの方向に向けられた姿勢においても、集水孔への係合状態が略同一となるよう形成したものとすることが可能であり、略逆円錐台形、あるいは逆多角錐台形に形成することができる外、吊上げ主杆との連結部間に、揺動自在構造を介して連結され、吊上げ主杆の吊り上げ角度に係わらず、その上面が、常に集水孔下端周縁面に当接状となる構造とすることができる。
【００１７】
また、同鈎板部は、全体が集水孔巾よりもやや肉薄となって、コンクリート製側溝集水孔の上方適所から下方に差し込み可能とするものであって、その上端面の長さを集水孔巾よりも大きくした板状体のものであって、吊上げ主杆軸心に対してその表裏両面が平行する姿勢となるようにして一体化されたものとしなければならず、その上端面の長さ方向を集水孔巾方向に略合致させる姿勢とすることによって、同上端面が水路内に開口する集水孔下端周縁面に当接し、該鈎板部が集水孔から外れてしまうことがないようにするものである。
【００１８】
緩衝摩擦層面は、鈎塊部または鈎板部等の鈎部上面に、集水孔下端周縁面に係合させるに最適な緩衝性能と、横滑り防止のための摩擦性能とを付加する機能を果たすものであって、吊上げの際に接合する鈎塊部または鈎板部等の鈎部上面が、集水孔下端周縁面に傷を着けたり、不用意に滑り動いてしまうことを阻止できる程度の弾性と摩擦とを有する素材を選択しなければならず、比較的軟質な合成樹脂や天然樹脂から形成し、集水孔およびその周辺の下端周縁面に嵌合可能な形状とすることが可能である外、集水孔下端周縁面との接合面を凹凸状や発泡状としたり、内部に空洞部を形成した構造とすることが可能であり、誤って集水孔下端周縁面との間に異物を挟み込んでしまった場合にも、挟み込んだ異物に圧力を集中させずに、分散できる構造とするのが望ましい。
【００１９】
仮置き鍔部または仮置き杆部は、クレーンによって吊上げられていない吊上げ具が、コンクリート製側溝内に落下してしまうのを防止するよう、集水孔上端周縁部に係合する機能と共に、仮置き杆部の場合は、その向きによって上記した鈎板部の姿勢を外部からでも判断できるようにする機能をも果たすものであり、吊上げ具の自重に耐える強度をもって設けられたものとしなければならず、少なくとも下面側の、コンクリート製側溝集水孔上端開口周縁に当接する部分を、所定肉厚の弾性素材から形成したものとして、この発明の吊り具をコンクリート製側溝集水孔に仮置き状に装着するとき等に、これら仮置き鍔部または仮置き杆部によってコンクリート製側溝表面にキズが付かないよう配慮したものとするのが望ましいといえる。
【００２０】
【関連する発明】
上記したコンクリート製側溝用吊上げ具に関連し、この発明には、それを利用するコンクリート製側溝の吊上げ運搬方法も包含しており、その構成は、基本的に次のとおりのものである。
即ち、略鉛直状とした一対の吊上げ具の吊上げ主杆夫々を、略中央を全長に渡って細巾の集水孔に開口してなる部分以外の天面が閉鎖された断面箱型タイプのコンクリート製側溝の側方から、集水孔内に上下貫通状とするよう装着し、該コンクリート製側溝の重心位置を挟み、水平方向に略等間隔を隔てたバランスの良い位置に配し、夫々の仮置き鍔部によって立設状に保持した上、各吊上げ具吊り環部の夫々に一端側を予め連結させるか、または、コンクリート製側溝への装着と同時あるいは装着後に連結させるかした吊上げ索条、吊上げチェーン、または吊上げ棒の何れかで、吊上げ具間のコンクリート製側溝を底辺とする二等辺三角形を形成するようにした状態にしてクレーン等吊上げ装置で吊上げ、各吊上げ具鈎塊部の上端面もしくは緩衝摩擦層面を、夫々コンクリート製側溝集水孔下端周縁面に当接させ、該コンクリート製側溝の略水平状のバランスを保ったまま所望する高さまで上昇させた後、目的とする位置まで搬送する、この発明の基本をなす上記までのコンクリート製側溝用吊上げ具を利用するようにしたコンクリート製側溝の吊上げ運搬方法である。
【００２１】
仮置き鍔部または仮置き杆部を有する吊上げ具を使用する場合に、吊上げ主杆の夫々を、コンクリート製側溝の集水孔内に上下貫通状とするよう装着した後、コンクリート製側溝の重心位置を挟み、水平方向に略等間隔を隔てると共に、なるべく端部寄りに配置させるまでの間、各仮置き鍔部または仮置き杆部を集水孔上端周縁面上に載置状として仮置きしながら、僅かに持ち上げて移動、調節することが可能であり、また、吊上げ運搬を終えた後に、クレーンによる引き上げを解除した際にも、仮置き鍔部または仮置き杆部を集水孔上端周縁面上に載置状とし、僅かに浮かせながら、集水孔に沿って吊上げ主杆をスライド移動させ、吊上げ具をコンクリート製側溝から外し去ることができる。
【００２２】
なお、仮置き杆部を有する吊上げ具の場合には、その鈎板部をコンクリート製側溝集水孔内に装着したときに、当該鈎板部の姿勢が集水孔の巾方向に向く姿勢かどうかを外部から確認し、この発明の吊り具が不用意に集水孔から離脱してしまわないようにするものであり、また、重心バランスや強度の面から、吊上げ具の装着に適する位置の集水孔上端周縁面上に、予め装着位置を表示しておき、この表示に従って吊上げ具を装着することが可能であり、また、三個以上の吊上げ具を互いに等間隔となるよう配置させた上、各吊上げ具に、適宜長さ調節された吊上げ索条、吊上げチェーン、または吊上げ棒を連結して、夫々略等しく張力が加わる状態に吊り上げるようにして、運搬することが可能である。
以下では、図面に示すこの発明を代表する実施例と共に、その構造について詳述することとする。
【００２３】
【実施例１】
図１の分解されたコンクリート製側溝用吊上げ具の斜視図、および図２のコンクリート製側溝用吊上げ具の断面図に示される事例は、吊上げ主杆２の上端に吊り環部３、中途部に仮置き鍔部５、および下端の鈎部として鈎塊部４を夫々一体的に設けた基本的構成からなるこの発明に包含されるコンクリート製側溝用吊上げ具１における代表的な一実施例を示すものである。
【００２４】
吊上げ主杆２は、図３のコンクリート製側溝の斜視図に示されるコンクリート製側溝８の天面部肉厚の、約二倍程度の長さに設定され、図１および図２中に示すように、上下端夫々の所定長さ範囲に、雄ネジ部を刻設した吊上げ芯材部２１と、コンクリート製側溝集水孔８１の巾寸法より小さな外径寸法に形成され、該吊上げ芯材部２１に同心状に被嵌される上下二本の位置決め兼用固定管部２２とからなり、該吊上げ芯材部２１上端雄ネジ部には、吊り環部３の下部に形成した雌ネジ部を螺着させた上、適所を熔接によって固着して離脱不可能とし、吊り環部３の下端に、上側位置決め兼用固定管部２２の上端を当接させ、該上側位置決め兼用固定管部２２の下側には、集水孔８１巾よりも大きな外径寸法であって、所定肉厚を有する円盤状に形成した軟質合成樹脂からなる仮置き鍔部５を、その中心部が吊上げ芯材部２１によって貫通された状態に装着し、更に、該仮置き鍔部５の下側に、下側位置決め兼用固定管部２２を装着し、該下側位置決め兼用固定管部２２の下端には、吊上げ芯材部２１下端側の雄ネジ部に螺合させた上側固定ナット４２の上端面を接合させ、該上側固定ナット４２と吊り環部３との間に、各部品同士を位置決めするよう締め付け固定する構造としている。
【００２５】
該上側固定ナット４２の下側に、上側座金４３を重ね、集水孔８１の巾寸法よりも大きな外径の逆円錐台形であって、上面に所定肉厚の平面円形状に形成された軟質合成樹脂製の緩衝摩擦層面４１が接着剤によって一体化されてなる鈎塊部４を、その中心部が吊上げ芯材部２１下端側によって貫通された状態に装着し、更に、下側座金４３および下側固定ナット４２を順次装着、螺合させることにより、該鈎塊部４を、上下側固定ナット４２，４２間に挟み込むよう締め付けた上、下端に露出状となった下側固定ナット４２の適所を、吊上げ芯材部２１下端に熔接し、強固に固着したものとなっている。
【００２６】
【実施例２】
図６の分解されたコンクリート製側溝用吊上げ具の斜視図、および図７の一部に断面を含むコンクリート製側溝用吊上げ具の側面図に示される事例は、吊上げ主杆２の中途部には仮置き杆部５、および下端の鈎部として鈎板部４を夫々一体的に設けた基本的構成からなるこの発明に包含されるコンクリート製側溝用吊上げ具１における代表的な一実施例を示すものである。
【００２７】
吊上げ主杆２は、図８のコンクリート製側溝の斜視図に示されるコンクリート製側溝８の天面部肉厚の、約二倍程度の長さに設定され、図６および図７中に示すように、吊上げ芯材部２１の下端を鈎板部４の上端面長さ方向中央に切り欠いた部分に差し込んだ状態で熔着一体化した上、該鈎板部４の上端面から、対象とするコンクリート製側溝８の天面肉厚の略二倍程度の間隔を置いた位置の吊上げ芯材部２１中途に、仮置き杆部５が、先の鈎板部４上端面の長さ方向に合致する方向となるようにした上、略水平状に熔着してなるものとする。そして、該仮置き杆部５の上方となる吊上げ主杆２の吊上げ芯材部２１には、位置決め兼用固定管部２２を遊嵌状に挿通した上、吊上げ芯材部２１上端に形成したネジ部を吊り環部３の下部に螺合させてから熔接、固着して離脱不可能に形成したものである。
【００２８】
なお、この実施例における吊下げ具１の鈎板部４は、その上端面の長さに相当する直径の鋼鉄製円盤を半裁した上、その切断面を加工して、中央に切り欠き部分、その両端は外方に向けてやや傾斜状に切り欠いて、コンクリート製側溝８の集水孔８１下面両側周縁にできるだけ添設状になるよう配慮したものとしてあるが、勿論この形状に限定されている訳ではなく、実施例１同様に水平状としたものでも差し支えはなく、また、この上端面に実施例１の緩衝摩擦層面４１に相当するものを積層、一体化したものとすることもできる。
【００２９】
【作用】
以上のとおりの構成からなるこの発明のコンクリート製側溝用吊上げ具１は、図３のコンクリート製側溝に吊上げ具を装着する状態の斜視図、図４の仮置き鍔部が集水孔上端周縁面に係合した状態の正面図、および図５のコンクリート製側溝を吊り上げる状態の斜視図に示されるように、この発明に包含されるコンクリート製側溝の吊上げ運搬方法に利用することが可能である。
【００３０】
図５中に示されるように、所定同一寸法に設定された、二本のワイヤロープ６２，６２の各上端を、結束環６１に連結すると共に、各下端に連結用フック６３，６３を設けてなる吊上げ用二又ワイヤ６を、該結束環６１をクレーン側フック７に連結して繋着し、各ワイヤーロープ６２，６２下端の連結用フック６３，６３の夫々に、一対の吊上げ具１，１の各吊り環部３，３を繋着した後、クレーン側フック７、およびこれに繋着された結束環６１を、吊上げ搬送の対象となるコンクリート製側溝８の左右略中央付近に移動させながら、図３に示すように移動自在に吊り下げられている各吊上げ具１，１を、作業員の手により、コンクリート製側溝８の左右端側に移動し、各吊上げ主杆２，２を略鉛直状に立てた姿勢を維持させながら集水孔８１の左右端側から内側に向けて水平状に移動させ、各鈎塊部または鈎板部４，４を夫々コンクリート製側溝８の左右側内側に、また、各仮置き鍔部または仮置き杆部５，５をコンクリート製側溝８の集水孔８１上端周縁面上に位置するよう装着した上、図４中に示すように、仮置き鍔部または仮置き杆部５を集水孔８１上端周縁面上に仮置き状としながら、コンクリート製側溝８の、左右重心位置とのバランスを確保すると共に、なるべく左右端寄りの安定な配置とするよう、集水孔８１に沿って移動させながら位置調節を行った後、クレーンを引き上げる。
【００３１】
引き上げられた吊上げ用二又ワイヤ６は、左右の吊上げ具１，１を均等の力で引き上げ、各鈎塊部または鈎板部４，４の夫々を、コンクリート製側溝８集水孔８１下端周縁面に接合して、コンクリート製側溝８の水平バランスを確保した状態のまま、図５中に示すように吊上げ、クレーンの回転半径内の所望する位置まで、そのまま運搬することが可能となる。その際、実施例１の場合には、吊上げ搬送中のコンクリート製側溝８集水孔８１下端周縁面は、緩衝摩擦層面４１，４１の弾性的な接合により、損傷や破損から守られると共に、その摩擦力によって不用意な滑落が阻止され、コンクリート製側溝８を接地させて運搬を終了したとき、吊上げ用二又ワイヤ６が、図４のように緩んだとしても、仮置き鍔部または仮置き杆部５が、集水孔８１上端周縁面上に仮置き状となり、吊上げ具１が、コンクリート製側溝８内に落ち込んでしまうことを阻止するので、作業員は、そのまま集水孔８１に沿って各吊上げ具１，１を、僅かに持ち上げるようにして移動させるか、あるいはその場で仮置き杆部５をコンクリート製側溝８集水孔８１の長さ方向に合わせるようにして取り外すことができる。
【００３２】
【効果】
以上のとおり、この発明のコンクリート製側溝用吊上げ具によれば、コンクリート製側溝の天面に開口された集水孔が、その全長に渡って形成されたタイプもの、およびその長さ方向要所要所に形成されたタイプものの何れにも対応することができるものとなり、一対の吊上げ具を、コンクリート製側溝の端部側から集水孔に挿入状にするか、あるいは集水孔の上方から落し込み状にするか何れかの手段によって装着するという極めて簡単な操作により、各吊上げ具の鈎塊部または鈎板部の上面を、集水孔下端周縁面に係合させることができるので、従前までのコンクリート製側溝のような、クレーン専用の連結構造の一体成型や、別体に設けられた吊上げ金具の取り付け作業等の一切を不要となるだけではなく、吊上げ装置による吊上げ作業段階において、仮置き鍔部または仮置き杆部による仮置きが可能になって作業者が一切把持する必要がなく、したがって、これまでのコンクリート製側溝の運搬作業の非効率さを大巾に解消して作業効率を格段に高めることができると共に、該鈎塊部上面に緩衝摩擦層面を設けたものでは、吊上げの際に集水孔下端周縁面を損傷してしまうといった不都合も防ぐことができる上、吊上げ接合部の摩擦力を高めて、搬送中のコンクリート製側溝が不用意に滑り、脱落してしまうことを確実に防止でき、また、吊上げ芯材部に位置決め兼用固定管部を遊嵌状にしたものでは、ロープの捩れに起因した回転反動による衝撃を回避できるものとなって、作業の安全性を大巾に向上できるという極めて秀れた特徴が得られるものである。
【００３３】
また、この発明のコンクリート製側溝の吊上げ運搬方法によれば、クレーンに纏めて連結された二本の吊上げ索条、吊上げチェーン、または吊上げ棒の何れかの双方端部に、同一構造の一対の吊上げ具を繋着してなる、比較的簡素が構造を用いることにより、極めて簡単に、コンクリート製側溝の重心位置を挟み、水平方向に略等間隔を隔てると共に、なるべく端部寄りの集水孔下端周縁面部分を、各吊上げ具鈎塊部または鈎板部に係合させて、吊り上げることができることから、装着から吊り上げまでの一連の作業を、極めて簡単且つ確実に行うことができる上、吊り上げ中には、クレーンの吊り上げ部分から二又に分岐された吊り上げ構造が、一対の吊上げ具間のコンクリート製側溝を底辺とする、二等辺三角形を形成する状態となるので、コンクリート製側溝を常に水平状にバランスさせ、安定な吊り上げ状態を確保することが可能となり、安全且つ迅速に吊り上げ、搬送することができるという大きな特徴を発揮することになる。
【００３４】
特に、実施例１に取り上げたこの発明を代表するコンクリート製側溝用吊上げ具１，１は、上記した特徴に加え、吊上げ主杆２の中途部に設けられた弾性素材からなる仮置き鍔部５が、ワイヤロープ６２の緩んでいる状態であっても、コンクリート製側溝８に傷付けることなく係合して、側溝内への落下を防止するものとなり、鈎塊部４の上面形状を吊上げ主杆２を中心とする平面円形状に形成したことにより、吊上げ具１の向きに影響されず、何れの姿勢においても、集水孔８１への係合状態を略同一とすることができ、更に鈎塊部４を、略逆円錐台形に形成したことにより、コンクリート製側溝８内壁面への不要な干渉を防止すると共に、軽量化して作業者への負担を軽減することができるという利点が得られる。
【００３５】
また、吊上げ主杆２を上下端に雄ネジを刻設した吊上げ芯材部２１、および上下二本の位置決め兼用固定管部２２，２２から形成し、上下位置決め兼用固定管部２２，２２間に、仮置き鍔部５を挟み込んで固定した上、該吊上げ芯材部２１の上端に吊り環部３が、下端に鈎塊部４が、夫々螺合構造によって一体化された構造とすることにより、各部品の組み立て構造を簡素化することができると共に、吊上げ具１の上下端間に加わる引張荷重を、上下に貫通する吊上げ芯材部２１が担うものとなって、全体の耐久強度を高めることができるという利点を有するものであり、更に、必要に応じて鈎塊部４と、吊上げ主杆２との間に、図示していない揺動自在構造を介在させ、連結した構造とすれば、吊上げ主杆２の吊上げ角度に係わらず、鈎塊部４の上面が、常に集水孔８１下端周縁面に当接状となり、より安定した摩擦力を得ることができるという極めて実用的な効果を奏するものとなっている。
【００３６】
更に、実施例２に示した事例によるものでは、実施例１のものでは使用できない天面長さ方向要所要所に集水孔８１，８１，……の形成されたタイプのコンクリート製側溝８に対しても使用可能となるばかりではなく、鈎部が鈎板部４となるため極めて軽量化されると共に、必要な上端面の長さに匹敵する所定厚の鋼鉄板を円形に裁断した上、それを半裁してなるものを殆どそのまま採用することができることから、比較的安価に提供でき、極めて実用的且つ経済的なものにすることができるという利点が得られる上、ロープの捩れに起因した回転反動による衝撃対策も万全なものとなって、安全性の高い吊上げ具の実現を可能にするという利点が得られる。
【００３７】
叙述の如く、この発明のコンクリート製側溝用吊上げ具、およびそれを利用するコンクリート製側溝の吊上げ運搬方法は、その新規な構成によって所期の目的を遍く達成可能とするものであり、しかも吊上げ具自体の製造も容易で、比較的廉価に提供可能であり、従前からのコンクリート製側溝の吊り上げ運搬作業に比較して、遥かに簡単且つ速やかに行うことができる上、作業の安全性も大巾に高めることができることから、コンクリート製側溝の敷設費用の削減と、施工期間の短縮とを確実に達成可能にするものであり、経費の削減と、迅速な施工が益々求められる土木、建設業界において高く評価され、広範に渡って利用、普及していくものになると予想される。
【図面の簡単な説明】
図面は、この発明のコンクリート製側溝用吊上げ具、およびそれを利用するコンクリート製側溝の吊上げ運搬方法の技術的思想を具現化した代表的な一実施例を示すものである。
【図１】    分解されたコンクリート製側溝用吊上げ具の構造を示す斜視図である。
【図２】    コンクリート製側溝用吊上げ具の構造を示す断面図である。
【図３】    吊上げ具をコンクリート製側溝に装着する状態を示す斜視図である。
【図４】    仮置き鍔部によって仮置きされた吊上げ具を示す正面図である。
【図５】    吊り上げられたコンクリート製側溝を示す斜視図である。
【図６】    他の実施例による吊上げ具を示す分解斜視図である。
【図７】    同吊上げ具の、一部に断面を含む側面図である。
【図８】    他のタイプのコンクリート製側溝を示す斜視図である。
【符号の説明】
１      吊上げ具
２      吊上げ主杆
２１    同  吊上げ芯材部
２２    同  位置決め兼用固定管部
３      吊り環部
４      鈎塊部
４１    同  緩衝摩擦層面
４２    同  固定ナット
４３    同  座金
５      仮置き鍔部
６      吊上げ用二又ワイヤ
６１    同  結束環
６２    同  ワイヤロープ
６３    同  連結用フック
７      クレーン側フック
８      コンクリート製側溝
８１    同  集水孔
【図１】
0003752666.tif 000002
【図２】
0003752666.tif 000003
【図３】
0003752666.tif 000004
【図４】
0003752666.tif 000005
【図５】
0003752666.tif 000006
【図６】
0003752666.tif 000007
【図７】
0003752666.tif 000008
【図８】
0003752666.tif 000009